【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
情報処理装置であって、
ユーザからの指示を受け付ける受付手段と、
前記受付手段が受け付けたユーザからの指示に基づいて、前記情報処理装置のセキュリティに関する設定を行う設定手段と、
前記設定手段が前記セキュリティに関する設定を変更する前に、当該変更前のセキュリティに関する設定に従って拒否された前記情報処理装置へのアクセスであって当該変更後のセキュリティに関する設定に従えば許可されるアクセスと、当該変更前のセキュリティに関する設定に従って許可された前記情報処理装置へのアクセスであって当該変更後のセキュリティに関する設定に従えば拒否されるアクセスとの少なくとも一方を記録する記録手段と、
前記記録手段が記録したアクセスを前記ユーザへ通知する通知手段と、
を備えることを特徴とする情報処理装置。
【請求項２】
前記設定手段は前記通知手段が前記記録したアクセスを前記ユーザへ通知した後、ユーザからの指示に従って前記セキュリティに関する設定を変更することを特徴とする請求項１に記載の情報処理装置。
【請求項３】
前記設定手段は複数段階のセキュリティレベルの１つを選択することが可能であり、前記セキュリティレベルを変更することで前記セキュリティに関する設定の変更を行うことを特徴とする請求項１または２に記載の情報処理装置。
【請求項４】
前記記録手段が前記アクセスを記録しなかった場合、前記設定手段は前記受付手段が受け付けた指示に従って、ユーザからのさらなる指示を待つことなく前記セキュリティに関する設定を変更することを特徴とする請求項１に記載の情報処理装置。
【請求項５】
前記情報処理装置のネットワークポートであって、前記セキュリティの設定を行うことによって閉じている状態から開いた状態に変更される前記ネットワークポートのポート番号を抽出する抽出手段を更に有し、
前記記録手段は、前記抽出手段によって抽出されたポート番号で特定されるネットワークポートに対するアクセスを記録することを特徴とする請求項１に記載の情報処理装置。
【請求項６】
前記設定手段は、前記記録手段が記録した前記アクセスを前記ユーザへ通知した後、前記ユーザからの指示に従って前記ネットワークポートを開くよう設定することを特徴とする請求項５に記載の情報処理装置。
【請求項７】
前記情報処理装置のネットワークポートであって、前記セキュリティの設定を行うことによって開いている状態から閉じた状態に変更される前記ネットワークポートのポート番号を抽出する抽出手段を更に有し、
前記記録手段は、前記抽出手段によって抽出されたポート番号で特定されるネットワークポートに対するアクセスを記録することを特徴とする請求項１に記載の情報処理装置。
【請求項８】
前記設定手段は、前記記録手段が記録した前記アクセスを前記ユーザへ通知した後、前記ユーザからの指示に従って前記ネットワークポートを閉じるよう設定することを特徴とする請求項７に記載の情報処理装置。
【請求項９】
前記受付手段はパスワードを用いたログインを受け付けることが可能であり、
前記受付手段が受け付けた前記セキュリティに関する設定を変更する指示は、前記受付手段が受け付けるパスワードに必要な文字数を変更する指示であり、
前記記録手段は前記必要な文字数が変更されることによって前記受付手段が受付不可となるようなパスワードを用いたログインがあったことを、前記必要な文字数を変更する前に記録することを特徴とする請求項１に記載の情報処理装置。
【請求項１０】
情報処理装置であって、
セキュリティに関する設定に対応づけて、当該設定が行われた場合に閉じるべき前記情報処理装置の複数のネットワークポートを管理する管理手段と、
前記セキュリティに関する設定を行うことが指示された場合、前記管理手段により管理されている前記複数のネットワークポートを閉じるように、当該セキュリティに関する設定を行う設定手段と、
前記設定手段が前記セキュリティに関する設定を行う前に、前記管理手段により管理されている前記複数のネットワークポートのうち、現在開いているネットワークポートのポート番号を抽出する抽出手段と、
前記抽出手段により抽出されたポート番号で特定されるネットワークポートを閉じることをユーザに通知する通知手段と、
を有することを特徴とする情報処理装置。
【請求項１１】
前記設定手段が前記セキュリティに関する設定を変更する前に、前記抽出手段により抽出されたポート番号に対するアクセスをログとして記録する記録手段を更に備え、
前記通知手段は、更に、前記記録手段が記録したログを前記ユーザに通知することを特徴とする請求項１０に記載の情報処理装置。
【請求項１２】
前記設定手段は、前記通知手段が前記抽出手段により抽出されたポート番号で特定されるネットワークポートを閉じることを前記ユーザへ通知した後、ユーザからの指示に従って前記セキュリティに関する設定を変更することを特徴とする請求項１０に記載の情報処理装置。
【請求項１３】
前記設定手段は複数段階のセキュリティレベルの１つを選択することが可能であり、前記セキュリティレベルを変更することで前記セキュリティに関する設定の変更を行うことを特徴とする請求項１１または１２に記載の情報処理装置。
【請求項１４】
前記セキュリティに関する設定を行う場合に、事前に設定変更による変更内容を確認するか否かをユーザからの指示に従って判定する判定手段と、
前記判定手段により事前に変更内容を確認すると判定された場合、前記通知手段による通知を行うように制御し、前記判定手段により事前に変更内容を確認しないと判定された場合、前記通知手段による通知を行わないように制御する制御手段と、
を更に備えることを特徴とする請求項１１ないし１３のいずれか１項に記載の情報処理装置。
【請求項１５】
前記管理手段は、前記セキュリティに関する設定に対応づけて、当該設定が行われた場合に開くべき前記情報処理装置の複数のネットワークポートをさらに管理し、
前記設定手段は、前記セキュリティに関する設定を行うことが指示された場合、さらに前記管理手段により管理されている前記複数のネットワークポートを開くように、当該セキュリティに関する設定を行い、
前記抽出手段は、前記設定手段が前記セキュリティに関する設定を行う前に、前記管理手段により管理されている前記複数のネットワークポートのうち、現在閉じているネットワークポートのポート番号をさらに抽出し、
前記通知手段は、前記抽出手段により抽出されたポート番号で特定されるネットワークポートを開くことをユーザにさらに通知する
ことを特徴とする、請求項１０に記載の情報処理装置。
【請求項１６】
情報処理装置のセキュリティ設定方法であって、
ユーザからの指示を受け付ける受付工程と、
前記受付工程で受け付けたユーザからの指示に基づいて、セキュリティに関する設定を行う設定工程と、
前記設定工程で前記セキュリティに関する設定を変更する前に、当該変更前のセキュリティに関する設定に従って拒否された前記情報処理装置へのアクセスであって当該変更後のセキュリティに関する設定に従えば許可されるアクセスと、当該変更前のセキュリティに関する設定に従って許可された前記情報処理装置へのアクセスであって当該変更後のセキュリティに関する設定に従えば拒否されるアクセスとの少なくとも一方を記録する記録工程と、
前記記録工程で記録したアクセスを前記ユーザへ通知する通知工程と、
を備えることを特徴とする情報処理装置のセキュリティ設定方法。
【請求項１７】
情報処理装置のセキュリティ設定方法であって、
セキュリティに関する設定に対応づけて、当該設定が行われた場合に閉じるべき前記情報処理装置の複数のネットワークポートを管理する管理工程と、
前記セキュリティに関する設定を行うことが指示された場合、前記管理工程で管理されている前記複数のネットワークポートを閉じるように、当該セキュリティに関する設定を行う設定工程と、
前記設定工程で前記セキュリティに関する設定を行う前に、前記管理工程で管理されている前記複数のネットワークポートのうち、現在開いているネットワークポートのポート番号を抽出する抽出工程と、
前記抽出工程で抽出されたポート番号で特定されるネットワークポートを閉じることをユーザに通知する通知工程と、
を有することを特徴とするセキュリティ設定方法。
【請求項１８】
情報処理装置に、
ユーザからの指示を受け付ける受付工程と、
前記受付工程で受け付けたユーザからの指示に基づいて、セキュリティに関する設定を行う設定工程と、
前記設定工程で前記セキュリティに関する設定を変更する前に、当該変更前のセキュリティに関する設定に従って拒否された前記情報処理装置へのアクセスであって当該変更後のセキュリティに関する設定に従えば許可されるアクセスと、当該変更前のセキュリティに関する設定に従って許可された前記情報処理装置へのアクセスであって当該変更後のセキュリティに関する設定に従えば拒否されるアクセスとの少なくとも一方を記録する記録工程と、
前記記録工程で記録したアクセスを前記ユーザへ通知する通知工程と、
を実行させることを特徴とするプログラム。
【請求項１９】
情報処理装置に、
セキュリティに関する設定に対応づけて、当該設定が行われた場合に閉じるべき前記情報処理装置の複数のネットワークポートを管理する管理工程と、
前記セキュリティに関する設定を行うことが指示された場合、前記管理工程で管理されている前記複数のネットワークポートを閉じるように、当該セキュリティに関する設定を行う設定工程と、
前記設定工程で前記セキュリティに関する設定を行う前に、前記管理工程で管理されている前記複数のネットワークポートのうち、現在開いているネットワークポートのポート番号を抽出する抽出工程と、
前記抽出工程で抽出されたポート番号で特定されるネットワークポートを閉じることをユーザに通知する通知工程と、
を実行させることを特徴とするプログラム。
【手続補正２】
【補正対象書類名】明細書
【補正対象項目名】０００６
【補正方法】変更
【補正の内容】
【０００６】
上記課題を解決するため、本発明に係る情報処理装置は、ユーザからの指示を受け付ける受付手段と、前記受付手段が受け付けたユーザからの指示に基づいて、前記情報処理装置のセキュリティに関する設定を行う設定手段と、前記設定手段が前記セキュリティに関する設定を変更する前に、当該変更前のセキュリティに関する設定に従って拒否された前記情報処理装置へのアクセスであって当該変更後のセキュリティに関する設定に従えば許可されるアクセスと、当該変更前のセキュリティに関する設定に従って許可された前記情報処理装置へのアクセスであって当該変更後のセキュリティに関する設定に従えば拒否されるアクセスとの少なくとも一方を記録する記録手段と、前記記録手段が記録したアクセスを前記ユーザへ通知する通知手段と、を備える。